(57)【要約】【課題】車両で発生する電力等の需要に対して、外部電源に接続された充電器から供給される電力等を好適に利用できる需給制御システムを提供する。【解決手段】本需給制御システムが備える車載バッテリ及び充電器を制御する制御装置は、車載機器で発生した電力等の総需要を求め、車載バッテリから供給可能な電力等で総需要を満足できるか否かを判断し、車載バッテリだけで総需要を満足できない場合、車載バッテリと充電器とから供給可能な総電力等で総需要を満足できれば充電器を駆動状態にする。【選択図】図１
2020188535.tif 000002
【特許請求の範囲】
【請求項１】
車両に搭載され、車両における電力又は電力量の需要と供給を制御する車両用需給制御システムであって、
車載バッテリと、
接続される外部電源から１つ以上の車載機器へ電力供給が可能な充電器と、
前記車載バッテリ及び前記充電器を制御する制御装置と、を備え、
前記制御装置は、駐車中において、
前記１つ以上の車載機器で発生した電力又は電力量の需要の合計である総需要を求め、
前記車載バッテリから供給可能な電力又は電力量で前記総需要を満足できるか否かを判断し、
前記車載バッテリだけで前記総需要を満足できない場合、前記車載バッテリと前記充電器とから供給可能な総電力又は総電力量で前記総需要を満足できれば、前記充電器を駆動状態に制御する、
車両用需給制御システム。
【請求項２】
前記制御装置は、前記車載バッテリだけで前記総需要を満足できる場合、前記所定の情報として、前記車載バッテリ及び前記充電器にそれぞれ設定された、前記１つ以上の車載機器で発生する電力又は電力量の需要を分類するために予め定義された複数の優先ランク毎に、より高い優先ランクに設定された値の範囲内で、より高い優先ランクの需要に対して供給する電力又は電力量を確保し、かつ、自優先ランクの需要への供給を許容できる電力又は電力量の上限を示す許容限界に基づいて、前記充電器を前記車載機器への電力供給を行う駆動状態及び前記車載機器へ電力供給を行わない停止状態のいずれかに制御する、
請求項１に記載の車両用需給制御システム。
【請求項３】
前記制御装置は、前記優先ランクの少なくとも１つにおいて、
自優先ランクで発生した需要と当該自優先ランクより高い優先ランクで発生した需要との合計である合計需要が、前記充電器の許容限界未満かつ前記車載バッテリの許容限界以上であれば、前記充電器を駆動状態とし、
前記合計需要が、前記車載バッテリの許容限界未満かつ前記充電器の許容限界以上であれば、前記充電器を停止状態とする、
請求項２に記載の車両用需給制御システム。
【請求項４】
前記制御装置は、前記車載バッテリだけで前記総需要を満足できない場合、前記車載バッテリと前記充電器とから供給可能な総電力又は総電力量で前記総需要を満足できず、かつ、前記優先ランクの少なくとも１つにおいて前記車載バッテリからの電力供給が不可能であれば、前記充電器を駆動状態に制御する、
請求項２又は３に記載の車両用需給制御システム。
【請求項５】
前記制御装置は、前記車載バッテリだけで前記総需要を満足できない場合、前記車載バッテリと前記充電器とから供給可能な総電力又は総電力量で前記総需要を満足できず、かつ、前記車載バッテリの電力供給が可能であれば、
需要が発生している優先ランクにおいて前記充電器の許容限界が所定値よりも大きい場合は、前記充電器を駆動状態に制御し、
需要が発生している優先ランクにおいて前記充電器の許容限界が前記所定値よりも小さい場合は、前記充電器を停止状態に制御する、
請求項２乃至４のいずれか一項に記載の車両用需給制御システム。
【発明の詳細な説明】
【技術分野】
【０００１】
本発明は、車両に搭載され、車両における電力又は電力量の需要と供給を制御する需給制御システムに関する。
【背景技術】
【０００２】
車両における電力又は電力量の需要と供給を制御するシステムとして、特許文献１に、車載ソーラーパネルの発電量及び車載バッテリの蓄電量に基づいて、駐車車両の空調（エアコン、ブロワ）を制御する装置が開示されている。このシステムでは、車載ソーラーパネルの発電量が所定値より多い場合や車載バッテリの蓄電量に余裕がある場合に車両の空調を制御することで、車載バッテリの蓄電量不足を防止しつつ車室内を快適に制御している。
【０００３】
また、特許文献２に、駆動用バッテリ及び補機バッテリの蓄電量に基づいて、車両の駐車中における駆動用バッテリから補機バッテリへの電力移送を制御するシステムが開示されている。このシステムでは、駐車中に補機バッテリの蓄電量が閾値まで低下した場合、駆動用バッテリの蓄電量が所定値以上あれば、駆動用バッテリの電力によって補機バッテリを充電することで補機バッテリ上がりを防止している。
【先行技術文献】
【特許文献】
【０００４】
【特許文献１】特開２００７−３０７９５７号公報
【特許文献２】特開２０１６−０５２１８９号公報
【発明の概要】
【発明が解決しようとする課題】
【０００５】
近年、充電設備などの外部電源に接続して車載バッテリを充電したり、車載機器に電力を供給したりできる充電器を備えた、ハイブリッド自動車や電気自動車が開発されている。この外部電源は、ソーラー発電装置と比べると大きい電力を安定して継続的に出力することができる。しかし、電力供給源として充電器を介して接続される外部電源を車載バッテリと併用した場合の好適な電力又は電力量の需給制御は、これまで検討されていなかった。
【０００６】
本発明は、上記課題を鑑みてなされたものであり、車両で発生する電力又は電力量の需要に対して、外部電源に接続された充電器から供給される電力又は電力量を好適に利用することができる車両用需給制御システムを提供することを目的とする。
【課題を解決するための手段】
【０００７】
上記課題を解決するために、本発明の一態様は、車両に搭載され、車両における電力又は電力量の需要と供給を制御する車両用需給制御システムであって、車載バッテリと、接続される外部電源から１つ以上の車載機器へ電力供給が可能な充電器と、車載バッテリ及び充電器を制御する制御装置と、を備え、制御装置は、駐車中において、１つ以上の車載機器で発生した電力又は電力量の需要の合計である総需要を求め、車載バッテリから供給可能な電力又は電力量で総需要を満足できるか否かを判断し、車載バッテリだけで総需要を満足できない場合、車載バッテリと充電器とから供給可能な総電力又は総電力量で総需要を満足できれば、充電器を駆動状態に制御する。
【発明の効果】
【０００８】
上記本発明の車両用需給制御システムによれば、車両で発生する電力又は電力量の需要に対して、外部電源に接続された充電器から供給される電力又は電力量を好適に利用することができる。
【図面の簡単な説明】
【０００９】
【図１】本発明の一実施形態に係る車両用需給制御システムの概略構成図
【図２】優先ランクを定義した一例
【図３Ａ】電力量に関する各優先ランクにおける下限値及び上限値の一例
【図３Ｂ】電力に関する各優先ランクにおける下限値及び上限値の一例
【図４】図３Ａに基づいて各優先ランクの制御下限値及び制御上限値を求めた例
【図５】図４に基づいて電力量供給に関する許容限界を設定した例
【図６Ａ】需要に対してコントローラが行う充電器制御のフローチャート
【図６Ｂ】需要に対してコントローラが行う充電器制御のフローチャート
【図７】高圧電池及びプラグイン充電器の許容限界と総需要との関係を例示した図（Ａパターン）
【図８】高圧電池及びプラグイン充電器の許容限界と総需要との関係を例示した図（Ｂ−１パターン）
【図９】高圧電池及びプラグイン充電器の許容限界と総需要との関係を例示した図（Ｂ−２パターン）
【図１０】高圧電池及びプラグイン充電器の許容限界と総需要との関係を例示した図（Ｃ−１パターン）
【図１１】高圧電池及びプラグイン充電器の許容限界と総需要との関係を例示した図（Ｃ−２パターン）
【図１２】高圧電池及びプラグイン充電器の許容限界と総需要との関係を例示した図（Ｃ−３パターン）
【図１３】高圧電池及びプラグイン充電器の許容限界と総需要との関係を例示した図（Ｄパターン）
【発明を実施するための形態】
【００１０】
本発明の車両用需給制御システムは、外部電源と接続可能な充電器を搭載する。本システムでは、車載機器に電力等を供給する電力供給源として車載バッテリと充電器を介して接続される外部電源とを併用できる場合、システムにおいて車載バッテリ及び充電器が効率良く動作するように充電器の駆動／停止の状態を制御する。
【００１１】
［実施形態］
以下、本発明の実施形態について、図面を参照しながら詳細に説明する。なお、以下の説明においては、原則、電力と電力量とを区別して表現するが、電力及び電力量のいずれをも取り得る内容を表現する場合には、「電力等」と記載している。
【００１２】
＜構成＞
図１は、本発明の一実施形態に係る車両用需給制御システム１の概略構成を示すブロック図である。図１に例示した車両用需給制御システム１は、複数の装備１０と、高圧電池２０と、低圧電池３０と、ＤＣＤＣコンバータ４０と、コントローラ５０と、電池監視部６０と、プラグイン充電器７０と、を備えている。
【００１３】
複数の装備１０は、車両に搭載される機器であり、所定の動作を実行するために必要な電力を使用する需要（電力需要）又は必要な電力量を消費する需要（電力量需要）を生じさせる装置である。この電力需要には、装備１０で発生した電力を電池に排出する需要を含んでいてもよいし、電力量需要には、装備１０で得られる電力量を電池に蓄積する需要を含んでいてもよい。図１では、２つの装備１０が車両に搭載されている例を示したが、３つ以上の装備１０が車両に搭載されていてもよい。
【００１４】
高圧電池２０は、リチウムイオン電池等の充放電可能に構成された二次電池であり、例えば電力等の供給／蓄積源として車両に搭載される駆動用バッテリである。この高圧電池２０は、ＳＭＲ（システムメインリレー）２１を介して、図示しないスタータモータや走行用モータ等に電力等を供給することができる。また、高圧電池２０は、ＳＭＲ２１を介して、ＤＣＤＣコンバータ４０に電力等を出力することができる。
【００１５】
電池監視部６０は、高圧電池２０の状態（電圧、電流収支、温度、蓄電量等）を監視する。電池監視部６０は、監視する高圧電池２０の状態をコントローラ５０に随時伝える。
【００１６】
プラグイン充電器７０は、接続プラグ７２を介して所定の外部電源８０と接続することが可能である。このプラグイン充電器７０は、外部電源８０と接続プラグ７２を介して接続している場合には、ＣＨＲ（チャージリレー）７１を介して高圧電池２０に電力等を供給することができる。また、プラグイン充電器７０は、ＣＨＲ７１及びＳＭＲ２１を介して、図示しないスタータモータや走行用モータ等及びＤＣＤＣコンバータ４０に電力等を出力することができる。
【００１７】
低圧電池３０は、鉛蓄電池やリチウムイオン電池等の充放電可能に構成された二次電池であり、例えば電力等の供給／蓄積源として車両に搭載される補機バッテリである。この低圧電池３０は、高圧電池２０やプラグイン充電器７０から出力される電力等を蓄えることができる。また、低圧電池３０は、自らが蓄えている電力等を複数の装備１０に供給してもよい。
【００１８】
ＤＣＤＣコンバータ４０は、高圧電池２０に蓄えられた電力等やプラグイン充電器７０から供給される電力等を、所定の電圧で複数の装備１０及び低圧電池３０に出力することができる。また、ＤＣＤＣコンバータ４０は、複数の装備１０から排出される電力等を、所定の電圧で高圧電池２０に出力することができる。ＤＣＤＣコンバータ４０から出力される電力等は、コントローラ５０から指示される出力電圧値によって制御される。
【００１９】
コントローラ５０は、電池監視部６０から入力する高圧電池２０の状態、及びプラグイン充電器７０から入力する外部電源８０による供給可否状態に基づいて、複数の装備１０、ＤＣＤＣコンバータ４０、ＳＭＲ２１、プラグイン充電器７０、及びＣＨＲ７１を制御することができる。外部電源８０による供給可否状態には、外部電源８０と接続プラグ７２との接続状態や外部電源８０の電源電圧及び定格電流の情報が少なくとも含まれる。コントローラ５０は、プラグイン充電器７０からこの情報を含むコントロールパイロット信号（ＣＰＬＴ信号）を受信することで、外部電源８０による供給可否状態を取得することができる。本実施形態のコントローラ５０では、複数の装備１０で発生した電力等の需要に対して供給／蓄積源から供給する電力又は電力量を後述する優先ランクの高い方から順に配分するための制御を実施するにあたり、高圧電池２０に加えてプラグイン充電器７０を使用するか否かを好適に制御する。
【００２０】
このコントローラ５０は、典型的にはプロセッサ、メモリ、及び入出力インタフェース等を含んだＥＣＵ（Electronic Control Unit）として構成され得る。コントローラ５０には、ＳＭＲ２１及びＣＨＲ７１の接続／遮断状態を制御できるＥＣＵや、ＤＣＤＣコンバータ４０の出力電圧値を制御できるＥＣＵや、低圧電池３０の状態を監視できるＥＣＵや、プラグイン充電器７０の動作状態を制御できるＥＣＵ等、車両に搭載されるＥＣＵの一部又は全部を含むことができる。本実施形態のコントローラ５０は、メモリに格納されたプログラムをプロセッサが読み出して実行することによって、需要演算部５１、判断部５２、及び状態制御部５３の各機能を実現する。
【００２１】
需要演算部５１は、複数の装備１０において発生した電力等の需要の合計である総需要を演算する。車両で発生し得る様々な電力等の需要は、その内容や目的に応じて優先ランクのいずれかの需要要件として分類される。各優先ランクには、電力等の需要に対して、どこまで電力等の供給を許容するのかに関する供給要件及びどこまで電力等の蓄積を許容するのかに関する蓄積要件が、予め定められている。以下、この優先ランクについて説明をする。
【００２２】
優先ランクとは、車両に求められる機能や性能等によって分類された所定のカテゴリに基づいて、複数の装備１０から生じる電力等の需要に対して、少なくとも高圧電池２０やプラグイン充電器７０から電力等を供給する優先順位を予め定義したものである。図２に、車両に関するカテゴリに基づいて定義した優先ランクの一例を示す。
【００２３】
図２の例では、車両に関する安全、安心、コンプライアンス、基本性能（システム起動、通常走行）、部品保護、商品性（動力、静粛性、走行安定性、公証燃費、先進装備）、経済性、及び付加価値のカテゴリについて、優先順位が最も高い「Ｐ１」から優先順位が最も低い「Ｐ８」まで、それぞれ優先ランクが定義されている。コンプライアンスにおいては、サブカテゴリとして法規（排気）及び諸元（燃費）について優先ランク「Ｐ３−１」及び「Ｐ３−２」がさらに区分されている。部品保護においては、サブカテゴリとして故障回避（機能保護）及び劣化回避（寿命維持）について優先ランク「Ｐ５−１」「Ｐ５−２」がさらに区分されている。経済性においては、サブカテゴリとして燃費消費、ＥＶ距離、電気料金、及び補機延命について優先ランク「Ｐ７−１」、「Ｐ７−２」、「Ｐ７−３」、及び「Ｐ７−４」がさらに区分されている。なお、優先ランクの数やカテゴリ及びサブカテゴリの区分等については、車両に求められる性能や機能等に基づいて自由に設定可能である。
【００２４】
各優先ランクには、電力等の需要に対して供給／蓄積源からの電力等の供給を許容する限界を示した許容限界が設定されている。許容限界の設定においては、まず各優先ランク単独での、電力等の需要に対して供給／蓄積源から電力等の供給をした場合に下降を許容できる電力等の下限値及び供給／蓄積源へ電力等の蓄積をした場合に上昇を許容できる電力等の上限値が求められる。図３Ａに、高圧電池２０が各優先ランクの需要に対して許容できる電力量の上限値及び下限値の一例を示す。
【００２５】
図３Ａの例では、高圧電池２０に蓄えられた電力量が現在値（実線）であるとき、優先ランクＰ１の電力量需要については、優先ランク単独の要求に対して、現在値がＰ１固有の下限値Ｌ１になるまでの電力量（絶対値）が供給可能（供給限界）であり、かつ、現在値がＰ１固有の上限値Ｈ１になるまでの電力量（絶対値）が蓄積可能（蓄積限界）であることを示している。つまり、優先ランクＰ１単独の電力量需要について、安全に関する所定の内容を満足するために下限値Ｌ１から上限値Ｈ１までの範囲の電力量変化が許容される。同様にして、優先ランクＰ２単独の電力量需要については、安心に関する所定の内容を満足するために下限値Ｌ２から上限値Ｈ２までの範囲の電力量変化が許容され、優先ランクＰ３単独の電力量需要については、コンプライアンスに関する所定の内容を満足するために下限値Ｌ３から上限値Ｈ３までの範囲の電力量変化が許容され、優先ランクＰ４単独の電力量需要については、基本性能に関する所定の内容を満足するために下限値Ｌ４から上限値Ｈ４までの範囲の電力量変化が許容され、優先ランクＰ５単独の電力量需要については、部品保護に関する所定の内容を満足するために下限値Ｌ５から上限値Ｈ５までの範囲の電力量変化が許容され、優先ランクＰ６単独の電力量需要については、商品性に関する所定の内容を満足するために下限値Ｌ６から上限値Ｈ６までの範囲の電力量変化が許容され、優先ランクＰ７単独の電力量需要については、経済性に関する所定の内容を満足するために下限値Ｌ７から上限値Ｈ７までの範囲の電力量変化が許容される。一方、優先ランクＰ８単独の電力量需要については、電力量変化が許容されていない。なお、各々の所定の内容は、車両の種類、車両に要求される性能や機能、及び規格などに基づいた電力量供給による車両搭載システムや高圧電池２０への影響（メリット／デメリット）などを考慮して、それぞれ適切に設定される。
【００２６】
なお、高圧電池２０が各優先ランクの需要に対して許容できる電力の変化範囲についても、上述した電力量と同様の考え方を適用することができる。図３Ｂに、高圧電池２０が各優先ランクの需要に対して許容できる電力の上限値及び下限値の一例を示す。この場合、上限値が供給／蓄積源から供給可能な供給限界となり、下限値が蓄積可能な蓄積限界電力となる。
【００２７】
各優先ランク単独での上限値及び下限値が求められた後、コントローラ５０が実行する配分制御に用いる各優先ランクの制御上限値及び制御下限値がさらに求められる。この制御上限値及び制御下限値は、各優先ランク単独での固有の上限値及び下限値を基準として、より高い優先ランクに対して設定された値の範囲内にトリミング処理されることによってそれぞれ求められる。このトリミング処理とは、ある優先ランクＵ単独での固有の上限値が、優先度がより高い優先ランクＶで設定された制御上限値より大きいも場合、優先ランクＵの制御上限値を優先ランクＶの制御上限値と同じ値（あるいはより小さい値）に制限する処理である。また、トリミング処理とは、優先ランクＵ単独での固有の下限値が、優先度がより高い優先ランクＶで設定された制御下限値よりも小さい場合、優先ランクＵの制御下限値を優先ランクＶの制御下限値と同じ値（あるいはより大きい値）に制限する処理である。図４に、図３Ａで示した電力量に関する各優先ランク単独での固有の上限値及び下限値（１点鎖線）に基づいて、各優先ランクの制御上限値及び制御下限値（太実線）を求める例を示す。
【００２８】
図４において、最上位の優先ランクＰ１については、単独での固有の上限値及び下限値を、優先ランクＰ１の制御上限値及び制御下限値として求める。次の優先順位である優先ランクＰ２については、単独での固有の上限値及び優先ランクＰ１で設定した制御上限値のいずれか小さい方を優先ランクＰ１の制御上限値として求め、単独での固有の下限値及び優先ランクＰ１で設定した制御下限値のいずれか大きい方を優先ランクＰ１の制御下限値として求める。よって、優先ランクＰ２も、単独での上限値及び下限値が制御上限値及び制御下限値となる。同様に、優先ランクＰ３についても、単独での上限値及び下限値が制御上限値及び制御下限値となる。しかし、優先ランクＰ４及びＰ５については、単独での上限値が優先ランクＰ３の制御上限値よりも大きくかつ単独での下限値が優先ランクＰ３の制御下限値より小さいため、優先ランクＰ３の制御上限値及び制御下限値を優先ランクＰ４及びＰ５の制御上限値及び制御下限値としてそれぞれ求める（トリミング処理）。優先ランクＰ６の制御上限値、及び優先ランクＰ７の制御下限値も同様の考え方である。このようなトリミングルールで制御上限値及び制御下限値を求めることによって、相対的に優先ランクが低い需要に対して供給可能な最大の電力又は電力量が、相対的に優先ランクが高い需要に対して供給可能な最大の電力又は電力量以下に制限される。トリミング処理することで、例えば、コンプライアンス（優先ランクＰ３）を満足させるために供給／蓄積源の使用が制限されているのにも関わらず、基本性能（優先ランクＰ４）がその制限を超えて供給／蓄積源を使用する、つまり優先されるべきコンプライアンスを無視して基本性能が動作する、といった制御が実行されることを回避することができる。
【００２９】
制御上限値及び制御下限値が求められると、優先ランク毎に許容限界が設定される。許容限界は、各優先ランクについて、自優先ランクよりも優先度が高い他の優先ランクの需要に供給する電力又は電力量を確保し、かつ、自優先ランクの需要への供給を許容できる電力又は電力量の上限を示した値である。例えば、優先ランクＰ３の許容限界が５０Ｗｓに設定されている場合、より優先度が高い優先ランクＰ１及びＰ２の需要に供給される電力量合計が４０Ｗｓであるときには、優先ランクＰ３の需要に対して１０Ｗｓ（＝５０−４０）まで供給が許容されるが、優先ランクＰ１及びＰ２の需要に供給される電力量合計が６０Ｗｓであれば許容限界を既に超えているため、優先ランクＰ３の需要に対して供給が許容されないこととなる。この許容限界は、図４で示した電力量の場合、電力量の供給に関する許容限界を電力量の「現在値−制御下限値」によって算出できる。図５に、図４で示した現在値と制御下限値とに基づいて電力量の供給に関する許容限界（実線）を設定した例を示す。なお、図４で示した現在値と制御上限値とに基づいて、電力量の蓄積に関する許容限界を「制御上限値−現在値」によって算出することができる。この電力量の蓄積に関する許容限界を設定に反映させれば、例えば図５に示す電力量の供給に関する許容限界を電力量が増大する方向に変動させることができ、許容可能な範囲が拡大される。
【００３０】
上述した優先ランク毎の許容限界は、高圧電池２０及びプラグイン充電器７０の各々について設定される。すなわち、高圧電池２０を需要に対する供給／蓄積源とした場合の許容限界と、プラグイン充電器７０を需要に対する供給／蓄積源とした場合の許容限界とが、それぞれ設定される。
【００３１】
需要演算部５１は、複数の装備１０において発生した様々な優先ランクの電力等の需要を検出し、この検出した需要を合計した「総需要」を求める。また、需要演算部５１は、検出した需要によって要求される電力又は電力量や優先ランクの情報を取得する。需要演算部５１は、この情報を、電力等の需要を検出した装備１０から受信することで取得してもよいし、装備１０が発生する電力等の需要と要求される電力又は電力量や優先ランクとを紐付けたテーブル等を予めコントローラ５０が保持しておき、電力等の需要の検出に応じてこのテーブルから取得するようにしてもよい。
【００３２】
判断部５２は、高圧電池２０から供給可能な電力又は電力量、プラグイン充電器７０から供給可能な電力又は電力量、装備１０において発生した各需要及びそれらの総需要、及び各優先ランクの許容限界に基づいて、プラグイン充電器７０の動作状態を装備１０への電力等の供給を行う駆動状態にするか、装備１０へ電力等の供給を行わない停止状態にするかを判断する。
【００３３】
状態制御部５３は、判断部５２による判断の結果に従って、プラグイン充電器７０の動作状態を駆動状態及び停止状態のいずれかに制御する。このプラグイン充電器７０の動作状態制御について、以下に詳細に説明する。
【００３４】
＜制御＞
図面をさらに参照して、本発明の一実施形態に係る車両用需給制御システム１のコントローラ５０が実行する充電器制御を説明する。図６Ａ及び図６Ｂは、装備１０から生じた需要に対して、コントローラ５０が実行する充電器制御の処理手順を示すフローチャートである。図６Ａの処理と図６Ｂの処理とは、結合子Ｘ及びＹで結ばれる。図７乃至図１３は、高圧電池２０の許容限界と、プラグイン充電器７０の許容限界と、総需要との関係を例示した図であり、図６Ａ及び図６Ｂにおける括弧記号が付された処理と対応付けられている。
【００３５】
図６Ａ及び図６Ｂに示す充電器制御は、プラグイン充電器７０の接続プラグ７２が外部電源８０に接続されることによって開始され、接続プラグ７２が外部電源８０から外されるまで繰り返し実行される。
【００３６】
ステップＳ６０１：需要演算部５１が、複数の装備１０において発生した電力等の需要を合計した総需要を算出する。この総需要は、例えば、需要が新たに発生したり、発生していた需要が無くなったりすることによって、車両における需要の状況が変化した場合や、車両の状態（高圧電池２０の状態や各種システムの状態等）によって電力等の供給状況が変化した場合等に、その都度算出されることが望ましい。又は、所定の時間間隔で総需要の算出を行ってもよい。総需要が算出されると、ステップＳ６０２に処理が進む。
【００３７】
ステップＳ６０２：判断部５２が、高圧電池２０から供給可能な電力又は電力量だけで総需要を満足できる（賄える）か否かを判断する。例えば、高圧電池２０の出力電力が低かったり（低Ｗout）、蓄積している電力量が不足していたりする場合に、総需要を満足できないと判断される。高圧電池２０からの供給だけで総需要を満足できる場合は（ステップＳ６０２、はい）、ステップＳ６０４に処理が進み、それ以外の場合は（ステップＳ６０２、いいえ）、ステップＳ６０３に処理が進む。
【００３８】
ステップＳ６０３：判断部５２が、高圧電池２０から供給可能な電力又は電力量に、プラグイン充電器７０から供給可能な電力又は電力量を加えた場合に、総需要を満足できるか否かを判断する。高圧電池２０及びプラグイン充電器７０からの供給で総需要を満足できる場合は（ステップＳ６０３、はい）、ステップＳ６０７に処理が進み、それ以外の場合は（ステップＳ６０３、いいえ）、ステップＳ６０９に処理が進む。
【００３９】
ステップＳ６０４：判断部５２が、優先ランクＰｉまでの合計需要を「値Ａｉ」に代入する。この優先ランクＰｉまでの合計需要とは、優先ランクＰｉで発生した需要と、優先ランクＰｉより高い優先ランクＰ（ｉ−１）、Ｐ（ｉ−２）、…、Ｐ１でそれぞれ発生した需要とを、合計した需要である。また、判断部５２が、優先ランクＰｉにおける高圧電池２０の許容限界を「値Ｂｉ」に代入し、優先ランクＰｉにおけるプラグイン充電器７０の許容限界を「値Ｃｉ」に代入する。値Ａｉ、値Ｂｉ、及び値Ｃｉが代入されると、ステップＳ６０５に処理が進む。
【００４０】
ステップＳ６０５：判断部５２が、優先ランクＰｉについて、合計需要Ａｉが、高圧電池２０の許容限界Ｂｉ未満かつプラグイン充電器７０の許容限界Ｃｉ以上か否か（Ｂｉ≧Ａｉ＞Ｃｉ）を判断する。この判断によって、高圧電池２０よりもプラグイン充電器７０の方が電力等の供給能力が低くなる優先ランクＰｉがあるか否かを把握することができる。Ｂｉ≧Ａｉ＞Ｃｉである場合は（ステップＳ６０５、はい）、ステップＳ６０８に処理が進み、それ以外の場合は（ステップＳ６０５、いいえ）、ステップＳ６０６に処理が進む。
【００４１】
ステップＳ６０６：判断部５２が、優先ランクＰｉについて、合計需要Ａｉが、プラグイン充電器７０の許容限界Ｃｉ未満かつ高圧電池２０の許容限界Ｂｉ以上か否か（Ｃｉ≧Ａｉ＞Ｂｉ）を判断する。この判断によって、高圧電池２０よりもプラグイン充電器７０の方が電力等の供給能力が高くなる優先ランクＰｉがあるか否かを把握することができる。Ｃｉ≧Ａｉ＞Ｂｉである場合は（ステップＳ６０６、はい）、ステップＳ６０７に処理が進み、それ以外の場合は（ステップＳ６０６、いいえ）、ステップＳ６０４に処理が進む。
【００４２】
上記ステップＳ６０４〜Ｓ６０６の処理は、最も高い優先ランクから降順で実施され、いずれかの優先ランクにおいてステップＳ６０５又はＳ６０６の条件が満足されるか、最も低い優先ランクによる処理が終了するまで継続して行われる。なお、図６Ａでは、全ての優先ランクによる処理においてステップＳ６０５及びＳ６０６のいずれの条件も満足しない場合には、ステップＳ６０８に処理が進む例を示しているが、ステップＳ６０７に処理が進むようにしてもよい。
【００４３】
ステップＳ６０７：状態制御部５３が、プラグイン充電器７０を電力等の供給を行う駆動状態に制御する。プラグイン充電器７０を駆動させた場合には、高圧電池２０に定められた入力電力Ｗinを超えないように、プラグイン充電器７０の定格出力電力以下で各装備１０に電力が供給される。また、高圧電池２０に定められた出力電力Ｗoutは、ＤＣＤＣコンバータ４０のフードバック制御により保護することができる。プラグイン充電器７０の制御が終わると、ステップＳ６０１に処理が戻る。
【００４４】
図７に、合計需要Ａｉを、高圧電池２０及びプラグイン充電器７０からの供給で総需要を満足できる場合［Ａパターン］における、各許容限界と総需要との関係の具体例を示す。図７は、電力の汲み出し需要に関して、優先ランクＰ５の部品保護（２寿命維持）について電力需要ｐｗ（網掛け箇所）が発生している例である。この図７に示すＡパターンでは、優先ランクＰ５−２の電力需要ｐｗは、高圧電池２０の許容限界Ｂ５の電力では賄えないが（ｐｗ＞Ｂ５）、高圧電池２０の許容限界Ｂ５にプラグイン充電器７０の許容限界Ｃ５を加算した合計許容限界の電力では賄える（ｐｗ≦Ｂ５＋Ｃ５）。なお、許容限界Ｂ５に許容限界Ｃ５を加算した合計許容限界の上限は、ＤＣＤＣコンバータ４０が出力可能な電力（出力限界）に制限される。このようなＡパターンの場合には、プラグイン充電器７０を駆動状態にする。
【００４５】
図８に、合計需要Ａｉが、プラグイン充電器７０の許容限界Ｃｉ未満かつ高圧電池２０の許容限界Ｂｉ以上（Ｃｉ≧Ａｉ＞Ｂｉ）である場合［Ｂ−１パターン］における、各許容限界と総需要との関係の具体例を示す。図８は、電力の汲み出し需要に関して、優先ランクＰ５の部品保護（２寿命維持）について電力又は電力量の需要ｐｗ（網掛け箇所）が発生している例である。この図８に示すＢ−１パターンでは、優先ランクＰ５−２の需要ｐｗは、高圧電池２０の許容限界Ｂ５でもプラグイン充電器７０の許容限界Ｃ５でも賄える。しかし、優先ランクＰ６については、高圧電池２０の許容限界Ｂ６が需要ｐｗを下回るのに対し、プラグイン充電器７０の許容限界Ｃ６は需要ｐｗを上回っている。このようなＢ−１パターンの場合には、今後優先ランクＰ６の需要が発生した場合でもその需要の少なくとも一部を賄うことができるように、プラグイン充電器７０を駆動状態にする。これにより、例えば、ユーザが違和感を覚えるようなＥＶ走行距離の減少を伝える情報がディスプレイに表示されたり（商品性）、高圧電池２０が勝手に放電されてＳＯＣが低下したり（経済性）することを、防ぐことが可能である。
【００４６】
ステップＳ６０８：状態制御部５３が、プラグイン充電器７０を電力等の供給を行わない停止状態に制御する。プラグイン充電器７０の制御が終わると、ステップＳ６０１に処理が戻る。
【００４７】
図９に、合計需要Ａｉが、高圧電池２０の許容限界Ｂｉ未満かつプラグイン充電器７０の許容限界Ｃｉ以上（Ｂｉ≧Ａｉ＞Ｃｉ）である場合［Ｂ−２パターン］における、各許容限界と総需要との関係の具体例を示す。図９は、電力の汲み出し需要に関して、優先ランクＰ５の部品保護（２寿命維持）について電力又は電力量の需要ｐｗ（網掛け箇所）が発生している例である。この図９に示すＢ−２パターンでは、優先ランクＰ５−２の需要ｐｗは、高圧電池２０の許容限界Ｂ５でもプラグイン充電器７０の許容限界Ｃ５でも賄える。しかし、優先ランクＰ６については、高圧電池２０の許容限界Ｂ６が需要ｐｗを上回るのに対し、プラグイン充電器７０の許容限界Ｃ６は需要ｐｗを下回っている。このようなＢ−２パターンの場合には、プラグイン充電器７０による不要な電力を消費しないように、プラグイン充電器７０を停止状態にする。これにより、例えば、高圧電池２０が満充電容量まで勝手に充電されたり（部品保護）、高圧電池２０の入力電力Ｗinを超えたり（部品保護）、ユーザが違和感を覚えるようなＥＶ走行距離の増加を伝える情報がディスプレイに表示されたり（商品性）、電気代が増加したり（経済性）することを、防ぐことが可能である。
【００４８】
ステップＳ６０９：判断部５２が、高圧電池２０及びプラグイン充電器７０のいずれからも電力等の供給が不可能か否かを判断する。つまり、複数の装備１０において発生した電力等の需要に対して全く電力等を供給できない状態にあるのか、少なくとも一方が電力等を供給できるのかが判断される。いずれからも電力等の供給が不可能である場合は（ステップＳ６０９、はい）、ステップＳ６１３に処理が進み、それ以外の場合は（ステップＳ６０９、いいえ）、ステップＳ６１０に処理が進む。
【００４９】
ステップＳ６１０：判断部５２が、高圧電池２０から電力等の供給が不可能か否かを判断する。高圧電池２０からの供給が不可能である場合は（ステップＳ６１０、はい）、プラグイン充電器７０が電力等を供給できるためステップＳ６１２に処理が進み、それ以外の場合は（ステップＳ６１０、いいえ）、ステップＳ６１１に処理が進む。
【００５０】
ステップＳ６１１：判断部５２が、需要が発生している優先ランクにおいて、プラグイン充電器７０の許容限界が所定値以下か否かを判断する。この判断は、プラグイン充電器７０を駆動することが効率的か否かを判定するために実施され、所定値はシステムに要求される効率等に基づいて適宜設定される。プラグイン充電器７０の許容限界が所定値以下である場合は（ステップＳ６１１、はい）、プラグイン充電器７０を駆動することが効率的ではないためステップＳ６１３に処理が進み、それ以外の場合は（ステップＳ６１１、いいえ）、ステップＳ６１２に処理が進む。
【００５１】
ステップＳ６１２：状態制御部５３が、プラグイン充電器７０を電力等の供給を行う駆動状態に制御する。プラグイン充電器７０を駆動させた場合には、高圧電池２０に定められた入力電力Ｗinを超えないように、プラグイン充電器７０の定格出力電力以下で各装備１０に電力が供給される。また、高圧電池２０に定められた出力電力Ｗoutは、ＤＣＤＣコンバータ４０のフードバック制御により保護することができる。プラグイン充電器７０の制御が終わると、ステップＳ６０１に処理が戻る。
【００５２】
図１０に、合計需要Ａｉを、高圧電池２０から電力等の供給が不可能な場合［Ｃ−１パターン］における、各許容限界と総需要との関係の具体例を示す。図１０は、電力の汲み出し需要に関して、優先ランクＰ５の部品保護（２寿命維持）について電力需要ｐｗ（網掛け箇所）が発生している例である。この図１０に示すＣ−１パターンでは、優先ランクＰ５−２の電力需要ｐｗは、高圧電池２０の許容限界Ｂ５とプラグイン充電器７０の許容限界Ｃ５とを加算した合計許容限界の電力でも賄えず（ｐｗ＞Ｂ５＋Ｃ５）、高圧電池２０では一切賄えないが（ｐｗ＞Ｂ５＝０）、プラグイン充電器７０では一部を賄える（ｐｗ＞Ｃ５≠０）。このようなＣ−１パターンの場合には、プラグイン充電器７０を駆動状態にする。これにより、高圧電池２０から電力等を供給できないときでも、プラグイン充電器７０から電力等を供給することができる。
【００５３】
図１１に、合計需要Ａｉを、プラグイン充電器７０の許容限界が所定値を超える場合［Ｃ−２パターン］における、各許容限界と総需要との関係の具体例を示す。図１１は、電力の汲み出し需要に関して、優先ランクＰ５の部品保護（２寿命維持）について電力需要ｐｗ（網掛け箇所）が発生している例である。この図１１に示すＣ−２パターンでは、優先ランクＰ５−２の電力需要ｐｗは、高圧電池２０の許容限界Ｂ５とプラグイン充電器７０の許容限界Ｃ５とを加算した合計許容限界の電力でも賄えず（ｐｗ＞Ｂ５＋Ｃ５）、プラグイン充電器７０の許容限界Ｃ５が所定値αよりも大きい（Ｃ５＞α）。このようなＣ−２パターンの場合には、プラグイン充電器７０を駆動状態にする。これにより、高圧電池２０だけの場合に比べて、より多くの電力を供給することができる。
【００５４】
ステップＳ６１３：状態制御部５３が、プラグイン充電器７０を電力等の供給を行わない停止状態に制御する。プラグイン充電器７０の制御が終わると、ステップＳ６０１に処理が戻る。
【００５５】
図１２に、合計需要Ａｉを、プラグイン充電器７０の許容限界が所定値以下の場合［Ｃ−３パターン］における、各許容限界と総需要との関係の具体例を示す。図１２は、電力の汲み出し需要に関して、優先ランクＰ５の部品保護（２寿命維持）について電力需要ｐｗ（網掛け箇所）が発生している例である。この図１２に示すＣ−３パターンでは、優先ランクＰ５−２の電力需要ｐｗは、高圧電池２０の許容限界Ｂ５とプラグイン充電器７０の許容限界Ｃ５とを加算した合計許容限界の電力でも賄えず（ｐｗ＞Ｂ５＋Ｃ５）、プラグイン充電器７０の許容限界Ｃ５が所定値αよりも小さい（Ｃ５＜α）。このようなＣ−３パターンの場合には、プラグイン充電器７０を停止状態にする。これにより、プラグイン充電器７０を駆動させてシステム効率を低下させてしまうことを防ぐことができる。
【００５６】
図１３に、合計需要Ａｉを、高圧電池２０からもプラグイン充電器７０からも電力等の供給が不可能な場合［Ｄパターン］における、各許容限界と総需要との関係の具体例を示す。図１３は、電力の汲み出し需要に関して、優先ランクＰ５の部品保護（２寿命維持）について電力需要ｐｗ（網掛け箇所）が発生している例である。この図１３に示すＤパターンでは、優先ランクＰ５−２の許容限界が高圧電池２０及びプラグイン充電器７０共にゼロであるため優先ランクＰ５−２の電力需要ｐｗを賄えない。よって、プラグイン充電器７０を停止させることで、不必要な電力消費をなくすことができる。
【００５７】
［作用・効果］
以上のように、本発明の一実施形態に係る車両用需給制御システム１によれば、装備１０への電力又は電力量の供給／蓄積源として高圧電池２０とプラグイン充電器７０とを併用できる場面において、高圧電池２０からの電力又は電力量の供給だけで装備１０で発生した総需要を全て賄えない場合、プラグイン充電器７０からの電力又は電力量の供給を加えることによって総需要を全て賄えるのであれば、プラグイン充電器７０を駆動させる。これにより、装備１０で発生する電力又は電力量の需要に対して、外部電源８０に接続されたプラグイン充電器７０から供給される電力又は電力量を好適に利用することができる。
【００５８】
また、本実施形態に係る車両用需給制御システム１によれば、高圧電池２０からの電力又は電力量の供給だけで装備１０で発生した総需要を全て賄える場合には、プラグイン充電器７０を駆動させるか停止させるかを、装備１０で発生する電力又は電力量の需要を分類する複数の優先ランクに与えられた許容限界に基づいて判断する。これにより、装備１０で発生する電力又は電力量の需要に対して、外部電源８０に接続されたプラグイン充電器７０から供給される電力又は電力量をさらに好適に利用することができる。
【００５９】
また、本実施形態に係る車両用需給制御システム１によれば、高圧電池２０からの電力又は電力量の供給だけで装備１０で発生した総需要を全て賄える場合であっても、いずれかの優先ランクにおける合計需要がプラグイン充電器７０の許容限界未満かつ高圧電池２０の許容限界以上であれば、プラグイン充電器７０を駆動させる。これによって、この優先ランクで発生する需要に対してより多くの需要に電力又は電力量を供給することができる。
【００６０】
また、本実施形態に係る車両用需給制御システム１によれば、高圧電池２０とプラグイン充電器７０とから供給可能な総電力又は総電力量の供給だけで装備１０で発生した総需要を賄えない場合、高圧電池２０からの電力供給が可能でありかつプラグイン充電器７０の駆動が不効率でなければ、プラグイン充電器７０を駆動させる。これによって、より多くの需要に対してプラグイン充電器７０から電力又は電力量を効率的に供給することができる。
【００６１】
以上、本発明の一実施形態を説明したが、本発明は、制御装置、制御装置を含んだ需給制御システム、需給制御システムが実行する充電器制御方法、充電器制御プログラム及び当該プログラムを記憶したコンピューター読み取り可能な非一時的な記録媒体、あるいは需給制御システムを搭載した車両として捉えることができる。
【産業上の利用可能性】
【００６２】
本発明の車両用需給制御システムは、電力又は電力量の供給／蓄積源である電池が搭載された車両等に利用可能である。
【符号の説明】
【００６３】
１  需給制御システム
１０  装備
２０  高圧電池
２１  システムメインリレー（ＳＭＲ）
３０  低圧電池
４０  ＤＣＤＣコンバータ
５０  コントローラ
５１  需要演算部
５２  判断部
５３  状態制御部
６０  電池監視部
７０  プラグイン充電器
７１  チャージリレー（ＣＨＲ）
７２  接続プラグ
８０  外部電源
【図１】
2020188535.tif 000003
【図２】
2020188535.tif 000004
【図３Ａ】
2020188535.tif 000005
【図３Ｂ】
2020188535.tif 000006
【図４】
2020188535.tif 000007
【図５】
2020188535.tif 000008
【図６Ａ】
2020188535.tif 000009
【図６Ｂ】
2020188535.tif 000010
【図７】
2020188535.tif 000011
【図８】
2020188535.tif 000012
【図９】
2020188535.tif 000013
【図１０】
2020188535.tif 000014
【図１１】
2020188535.tif 000015
【図１２】
2020188535.tif 000016
【図１３】
2020188535.tif 000017